(57)【要約】【課題】  レーザー光の使用により、高い分解能を維持しながら、高速で画像形成可能な光ディスクの画像記録方法を提供する。【解決手段】  基板上に形成された画像記録層にレーザー光を照射して画像を形成する光ディスクの画像記録方法であって、  前記レーザー光のスポット形状における半径方向の最大長さを、周方向の最大長さより大きくすることを特徴とする光ディスクの画像記録方法である。【選択図】  図１
2006185500.tif 000002
【特許請求の範囲】
【請求項１】
基板上に形成された画像記録層にレーザー光を照射して画像を形成する光ディスクの画像記録方法であって、
前記レーザー光のスポット形状における半径方向の最大長さを、周方向の最大長さより大きくすることを特徴とする光ディスクの画像記録方法。
【請求項２】
前記レーザー光のスポット形状における前記半径方向の最大長さ（Ｘ）と前記周方向の最大長さ（Ｙ）との比（Ｘ／Ｙ）を、３〜５０とすることを特徴とする請求項１に記載の光ディスクの画像記録方法。
【請求項３】
前記レーザー光のスポット形状における前記半径方向の最大長さを、３〜５０μｍとすることを特徴とする請求項１または２に記載の光ディスクの画像記録方法。
【請求項４】
前記レーザー光のスポット形状を、前記半径方向を長軸とする楕円形とすることを特徴とする請求項１〜３のいずれか１項に記載の光ディスクの画像記録方法。
【発明の詳細な説明】
【技術分野】
【０００１】
本発明は、光ディスクの画像記録方法に関し、特に、画像記録層を有する光ディスクの画像記録方法に関する。
【背景技術】
【０００２】
ＣＤやＤＶＤといった光ディスクには、音楽データ等が記録される記録面とは反対側の面に、記録面に記録した音楽データの楽曲タイトルや、記録したデータを識別するためのタイトル等の可視情報を印刷したラベルを貼付したものが知られている。このような光ディスクは、プリンター等によって円形のラベルシート上にタイトル等を予め印刷し、当該ラベルシートを光ディスクの記録面とは反対側の面に貼付することにより作製される。
【０００３】
しかし、上述のようにタイトル等の所望の可視画像をレーベル面に記録した光ディスクを作製する場合には、光ディスクドライブとは別にプリンターが必要となる。従って、光ディスクドライブを用いて、ある光ディスクの記録面に記録を行った後、その光ディスクを光ディスクドライブから取り出して、上記のように別に用意したプリンターによって印刷されたラベルシートを貼付するなどといった煩雑な作業を行う必要がある。
【０００４】
そこで、記録面とは反対側の面にレーザーマーカを使用して表面の背景のコントラストを変化させて表示をさせることができる光ディスクが提案されている（例えば、特許文献１参照）。このような方法を用いることで、プリンター等を別途用意することなく、光ディスクドライブによって光ディスクのレーベル面に所望の画像記録を行うことができる。しかしながら、この方法では、感度が低く、炭酸ガスレーザーなどの高パワーのガスレーザーを使用せざるを得ず、前述のようなレーザー光により形成された可視画像は、コントラストが低く視認性に劣っていた。
【特許文献１】特開平１１−６６６１７号公報
【発明の開示】
【発明が解決しようとする課題】
【０００５】
本発明は、以上の従来の問題点に鑑みなされたものであり、以下の目的を達成することを課題とする。すなわち、本発明の目的は、レーザー光の使用により、高い分解能を維持しながら、高速で画像形成可能な光ディスクの画像記録方法を提供することにある。
【課題を解決するための手段】
【０００６】
前記課題は、下記本発明により解決することができる。
すなわち、本発明は、基板上に形成された画像記録層にレーザー光を照射して画像を形成する光ディスクの画像記録方法であって、
前記レーザー光のスポット形状における半径方向の最大長さを、周方向の最大長さより大きくすることを特徴とする光ディスクの画像記録方法である。
【０００７】
本発明の光ディスクの画像記録方法においては、下記（１）〜（３）の態様を少なくとも１つ適用することが好ましい。
【０００８】
（１）前記レーザー光のスポット形状における前記半径方向の最大長さ（Ｘ）と前記周方向の最大長さ（Ｙ）との比（Ｘ／Ｙ）を、３〜５０とする態様である。
（２）前記レーザー光のスポット形状における前記半径方向の最大長さを、３〜５０μｍとする態様である。
（３）前記レーザー光のスポット形状を、前記半径方向を長軸とする楕円形とする態様である。
【発明の効果】
【０００９】
本発明によれば、レーザー光の使用により、高い分解能を維持しながら、高速で画像形成可能な光ディスクの画像記録方法を提供することができる。
【発明を実施するための最良の形態】
【００１０】
本発明の光ディスクの画像記録方法は、基板上の画像記録層にレーザー光を照射して画像を形成する方法であって、レーザー光のスポット形状を所定の形状とする。当該形状としては、図１（ａ）に示すように、スポット１０の形状における光ディスクの半径方向の最大長さ（Ｘ）が、周方向の最大長さ（Ｙ）より大きくなっている。そして、複数のランド１２およびグルーブ１４に跨っている。
【００１１】
画像記録層に溝が形成されている場合、一般的には、情報を記録する際のレーザー光のスポットの形状は、図１（ｂ）に示すように、円形となっている（符号２０に相当）。そして、１つのグルーブもしくはランドに沿って、情報の記録を行っている。しかし、レーザー光により画像を記録する際には、必ずしも、このようなスポット形状で描画する必要はなく、半径方向に複数のトラックにまたがって同時に描画しても、視覚的に何ら問題が生じることはない。むしろ、上記のように同時に描画することで、高い分解能を維持しつつ、描画速度を高めることができる。なお、画像記録層に溝が形成されていない場合でも、同様の効果を得ることができる。
【００１２】
本発明は、既述の図１（ａ）に示すように、スポット１０の形状を半径方向に大きな形状としている。レーザー光のスポット１０の形状における半径方向の最大長さをＸとし、周方向の最大長さをＹとした場合のこれらの比（Ｘ／Ｙ）は、３〜５０とすることが好ましく、４〜２０とすることがより好ましい。３〜５０とすることで、限られたレーザー出射パワーを用いて効率よく高画質記録できると共に、十分な記録パワーを画像記録層に印加できる。
【００１３】
また、半径方向の最大長さＸは、３〜５０μｍとすることが好ましく、４〜２０μｍとすることがより好ましい。３〜５０μｍとすることで、限られたレーザー出射パワーを用いて効率よく高画質記録できると共に、十分な記録パワーを画像記録層に印加できる。
【００１４】
上記のような条件を満足するスポット形状としては、図１（Ａ）に示すようにな楕円形に限らず、長方形に近い形状など他の形状とすることもできる。しかし、実用的なことを考慮すると、半径方向を長軸とする楕円形とすることが好ましい。
【００１５】
図１（Ａ）のようなスポット形状とするためは、図２に示すように、対物レンズ３２と光ディスク３４との間に、シリンドリカルレンズ３０を設置することが好ましい。一般的に、シリンドリカルレンズは、入射された断面が真円のレーザー光を単一方向にのみ集光させる特徴を有する。
【００１６】
従って、レーザー光は、ミラー３６により反射され、対物レンズ３２を通過する。対物レンズ３２を通過したレーザー光は、シリンドリカルレンズ３０を通過するが、当該レンズは、上述のような性質を有するため、透過したレーザー光の断面（スポット形状）は、当該シリンドリカルレンズ３０からの距離に応じて長円度が異なる楕円形となる。その結果、スポット形状も、既述の所定形状とすることができる。
【００１７】
なお、画像の記録中の光ディスクは、不図示のモータを駆動源として、矢印方向もしくは、その逆方向に線速度一定で回転している。線速度は、０．０９〜１０ｍ／ｓｅｃとすることが好ましい。レーザー光の光源は、公知のものを使用する事が可能で、その出力は、極力大きいほうが記録速度を早くすることができる。具体的には、出射レベルで１００ｍＷ以上の半導体レーザーを使用することが好ましく、１００ｍＷ以上の半導体レーザーを使用することがより好ましい。また、スポット形状（上記ＸおよびＹ）は、シリンドリカルレンズと光ディスクとの距離を適宜設定することで調整することができる。
【００１８】
このような画像記録層への可視画像の記録をする機能を有する光ディスクドライブとしては、例えば、特開２００３−２０３３４８号公報、特開２００３−２４２７５０号公報、特開２００２−２０３３２１号公報等に記載された光ディスクドライブに、シリンドリカルレンズを具備したものを使用することができる。
【００１９】
以上のようにして、形成された画像は、レーザー光のスポット形状に相当する形状のピットの集合により、視認性良好に形成されている。
【００２０】
本発明の光ディスクの画像記録方法に適用可能な光ディスクは、レーザー光を照射して画像を記録することができる画像記録層を有していれば特に限定されず、読出し専用型、追記型、書換え可能型等のいずれでもよい。また、情報を記録する際の記録形式も、相変化型、光磁気型、色素型等、特に制限されない。
【００２１】
上記のような光ディスクの構成としては、ＤＶＤ型（デジタルヴァーサタイルディスク）やＣＤ型（コンパクトディスク）といった構成が挙げられる。ＤＶＤ型（ＤＶＤの他、ＤＶＤ−ＲやＤＶＤ−ＲＷ等を含む）の構成としては、情報（デジタル情報などの符号情報（コード化情報））を記録する記録層（情報記録層）と反射層とを少なくとも有する基板と、少なくとも画像記録層を有する基板（保護基板もしくはダミー基板ともいう）とを貼りあわせた構成である。また、ＣＤ型の構成（ＣＤの他、ＣＤ−ＲやＣＤ−ＲＷ等を含む）としては、基板上に、少なくとも情報記録層と反射層と画像記録層とがこの順に形成されてなる構成構成である。さらに、波長４５０ｎｍ以下のレーザー光で情報を記録再生するブルーレイディスクやＨＤ−ＤＶＤといった媒体にも適用できる。
光ディスクに使用される基板や反射層、情報記録層、保護層、接着層等の材質や構成は、一般的に使用されているものが適用される。
【００２２】
一方、保護基板もしくは透明層側に形成される画像記録層は、文字、図形、絵柄など、ユーザーが所望する可視画像（可視情報）が記録される層であり、当該可視画像としては、例えば、ディスクのタイトル、内容情報、内容のサムネール、関連した絵柄、デザイン的な絵柄、著作権情報、記録日時、記録方法、記録フォーマット、バーコード等が挙げられる。
【００２３】
画像記録層は、レーザー光の照射により、文字、画像、絵柄などの画像情報を視認可能に記録できればよく、その構成材料としては、従来公知なものから適宜選択することができる。特に、色素を用いる場合、画像記録層には、記録画像のコントラスト向上の観点から、シアニン色素、フタロシアニン色素、アゾ色素、アゾ金属錯体、オキソノール色素等が用いられることが多い。
【００２４】
なお、本発明においては、画像記録層側の画像記録領域に相当する保護基板は、トラッキング用の溝の有無は問わないが、トラッキング用の溝を有していることが好ましい。画像記録層が保護基板に隣接して形成される場合、保護基板に溝を設けることにより、画像記録領域に容易に溝を設けることができる。そして、形成された溝でレーザーピックアップをトラッキングした状態で画像記録を行うことにより、ピックアップを精密に位置制御することができるため、緻密な画像を記録することができる。また、画像記録層に溝を設けることにより、光が干渉して表面がきれいな虹色に見える効果もある。
【００２５】
溝が設けられる場合、その形状は、光ディスクを回転した状態でトラッキングすることから、螺旋状又は同心円状が好ましい。溝形状は、情報記録層の溝形状と異ならせることができる。また、画像記録層の溝のピッチと情報記録層の溝ピッチを異ならせることもできる。具体的には、画像記録層の溝のピッチは、情報記録層の溝よりも広くすることができる。画像記録におけるトラッキングが目的であるから、緻密に視認可能な画像を記録できればよく、記録密度を高くするために溝のピッチ（トラックピッチ）を狭くする情報記録層ほどピッチを狭くする必要がないからである。
【００２６】
画像記録層の画像記録領域に形成するトラッキング用の溝を設ける場合のトラックピッチは、記録レーザーの強度分布の観点から、ＣＤ−Ｒの場合で、１．２０〜２．００μｍとすることが好ましく、１．４０〜１．８０μｍとすることがより好ましく、１．５５〜１．６５μｍとすることがさらに好ましい。ＤＶＤ−Ｒの場合は、０．６０〜０．９０μｍとすることが好ましく、０．７０〜０．８０μｍとすることがより好ましく、０．７２〜０．７６μｍとすることがさらに好ましい。また、ＨＤ  ＤＶＤ−ＲおよびＢＤ−Ｒの場合は、０．２５〜０．４７μｍとすることが好ましく、０．２８〜０．４４μｍとすることがより好ましく、０．３０〜０．４２μｍとすることがさらに好ましい。
【００２７】
画像記録時にトラッキングをかけて、かつ、レーザー光を入射する側の基板厚さが０．６ｍｍの場合の溝の深さは、ＣＤ−Ｒの場合で、１００〜２５０ｎｍとすることが好ましく、１５０〜２３０ｎｍとすることがより好ましく、１７０〜２１０ｎｍとすることがさらに好ましい。ＤＶＤ−Ｒの場合は、２５〜２００ｎｍとすることが好ましく、７０〜１９０ｎｍとすることがより好ましく、１００〜１６０ｎｍとすることがさらに好ましい。また、ＨＤ  ＤＶＤ−Ｒの場合は、１５〜１５０ｎｍとすることが好ましく、２５〜１１０ｎｍとすることがより好ましく、３０〜９０ｎｍとすることがさらに好ましい。なお、基板の厚みが１．１ｍｍのＢＤ−Ｒの場合は、ＨＤ  ＤＶＤ−Ｒの場合と同様である。
【００２８】
溝の幅（半値幅）は、ＣＤ−Ｒの場合で、４００〜６５０ｎｍとすることが好ましく、４８０〜６００ｎｍとすることがより好ましく、５００〜５８０ｎｍとすることがさらに好ましい。ＤＶＤ−Ｒの場合は、２００〜４８０ｎｍとすることが好ましく、２５０〜４３０ｎｍとすることがより好ましく、３００〜３８００ｎｍとすることがさらに好ましい。また、ＨＤ  ＤＶＤ−Ｒの場合は、８０〜３００ｎｍとすることが好ましく、９０〜２５０ｎｍとすることがより好ましく、１００〜２２０ｎｍとすることがさらに好ましい。なお、基板の厚みが１．１ｍｍのＢＤ−Ｒの場合は、ＨＤ  ＤＶＤ−Ｒの場合と同様である。また、溝形状は、レーザー光の波長、ＮＡ、基板厚などでその最適範囲が異なることがある。
【００２９】
なお、画像記録層側の保護基板や透明層に既述の溝が設けられていなくても、画像を記録することは可能である。
【００３０】
また、本発明の光ディスクにおいて、画像記録層への画像の記録は、情報記録層への記録機能をも有する１つの光ディスクドライブ（記録装置）で行うことができる。このように、１つの光ディスクドライブを使用する場合、画像記録層及び情報記録層のいずれか一方の層への記録を行った後、裏返して他方の層に記録を行うことができる。そのため、プリンター等を別途用意する必要がなくなる。
【図面の簡単な説明】
【００３１】
【図１】レーザー光のスポット形状の一例を示す図であり、（Ａ）は楕円形状のスポットを示し、（Ｂ）は一般的な円形状のスポットを示す。
【図２】光ディスクへの画像記録の方法を示す説明図である。
【符号の説明】
【００３２】
１０・・・本発明に係るレーザー光のスポット
２０・・・一般的なレーザー光のスポット
１２・・・ランド
１４・・・グルーブ
Ｘ・・・半径方向の最大長さ
Ｙ・・・周方向の最大長さをＹ
【図１】
2006185500.tif 000003
【図２】
2006185500.tif 000004